(57)【要約】【課題】遊技機の主要演出部に商品名、商品の外観、或いはサービス名を配した広告宣伝付き遊技機を企画するためのシステム及びそのシステムに基づいて制作された遊技機を提供する。【解決手段】広告宣伝企画業者３１側には、企画検討事項、遊技機の仕様、遊技機のデザイン情報、スケジュール等の情報をアップロードする広告宣伝付き遊技機企画システムサーバ４０を設けておき、広告主業者３０側には、この広告宣伝付き遊技機企画システムサーバ４０と通信回線４４で繋がっている広告主業者パーソナルコンピュータ４３を設ける。また、遊技機デザイン業者３２側には、広告宣伝付き遊技機企画システムサーバ４０と通信回線４６で繋がっている遊技機デザイン業者パーソナルコンピュータ４５を配する。【選択図】      図４
2007151900.tif 000002
【特許請求の範囲】
【請求項１】
遊技機の主要演出部に商品名、商品の外観、或いはサービス名を配した広告宣伝付き遊技機を企画するための広告宣伝付き遊技機企画システムにおいて、
広告宣伝企画業者が、企画検討事項、遊技機の仕様、遊技機のデザイン情報、スケジュール等の情報をアップロードする広告宣伝付き遊技機企画システムサーバと、
該広告宣伝付き遊技機企画システムサーバと通信回線で繋がっている広告主業者側の広告主業者パーソナルコンピュータと、
該広告宣伝付き遊技機企画システムサーバと通信回線で繋がっている遊技機デザイン業者側の遊技機デザイン業者パーソナルコンピュータと、
からなることを特徴とする広告宣伝付き遊技機企画システム。
【請求項２】
請求項１に記載の広告宣伝付き遊技機企画システムで制作された広告宣伝付き遊技機。
【発明の詳細な説明】
【技術分野】
【０００１】
本発明は、遊技機の主要演出部に商品名、商品の外観、或いはサービス名を配した広告宣伝付き遊技機を企画するためのシステム及びそのシステムに基づいて制作された広告宣伝付き遊技機に関する。
【背景技術】
【０００２】
パチンコ機やスロットマシン等の遊技機の遊技機参加人口は、２００４年には１５９０万人にのぼると言われている。また、ある統計資料によれば、パチンコ機やスロットマシン等の遊技機による平均遊技時間は1日１人あたり２〜４時間であるとも算定されている。このように多数の人が長時間にわたり遊技を行うパチンコ機やスロットマシン等の遊技機を、広告宣伝を行うための媒体として利用することができれば、その広告宣伝効果はきわめて高いことと予想される。
【０００３】
従来から、パチンコ機やスロットマシン等の遊技機を備えたホールでは、広告専用の掲示スペースやディスプレイを設けて利用者に対する広告宣伝を実施している。ホールにおいて実施される広告宣伝内容には、例えば、当該ホールに係わる情報提供の他に、外部の広告主から依頼された商売等に係わる情報提供が含まれる。
【０００４】
このような広告宣伝からさらに一歩進めて、パチンコ機やスロットマシン等の遊技機に近いところに広告宣伝を配置し、より広告宣伝効果を高めようとする遊技機に関連する広告手法がいくつか提案されている。その一つとして、特許文献１（特開平１１−１５１３４７号公報）には、遊技機を複数並べて遊技機島を構成し、遊技機島の外周面の上部を幕板により構成して成る遊技機島における広告表示方法において、前記幕板と共に前記遊技機島の外周面の上部を構成する広告表示部を用いて、複数の広告を切替え表示するようにしたことを特徴とする遊技機島における広告表示方法が記載されている。
【０００５】
また、特許文献２（特開２００５−６８０７号公報）には、遊技場の店舗に設けられた、表示画面として主表示画面と周辺表示画面を有する遊技装置及び遊技装置と通信回線を通じて接続され、且つコンテンツ配信サーバーとインターネット回路網を通じて送受信可能に接続し得る店舗サーバーを備え、店舗サーバーからコンテンツ配信サーバーへ遊技装置の表示画面情報の配信を要求し、コンテンツ配信サーバーから配信されたコンテンツを記憶部に記憶し、記憶したコンテンツを指定した遊技装置にダウンロードし、表示画面に表示するようにした、ことを特徴とする遊技装置の画面表示方法が記載されている。
【特許文献１】特開平１１−１５１３４７号公報
【特許文献１】特開２００５−６８０７号公報
【発明の開示】
【発明が解決しようとする課題】
【０００６】
しかしながら、特許文献１、特許文献２いずれに記載の広告宣伝手法においても、広告を表示する表示部である広告表示部や周辺表示画面は、パチンコ機やスロットマシン等の遊技機の遊技を演出する主表示部に設けられているわけではいないので、遊技に興じている遊技機利用者に対して必ずしも広告宣伝効果が高いわけではなかった。これまでパチンコ機やスロットマシン等の遊技機の遊技を演出する液晶表示部や遊技盤面等の主表示部に広告宣伝を設けることができなかったのは、ホールで営業に供するためのパチンコ機やスロットマシン等の遊技機は、「遊技機の認定及び型式の検定等に関する規則」等の法令に基づいて、行政機関により型式認定を受ける必要があることが理由の一つして考えられる。
【０００７】
一般的に、商品やサービスの広告宣伝行為は、時代の潮流に合わせてタイムリーに行わなければならず、このような型式認定を行政機関に対して申請をし、当該行政機関から実際に型式の認定の承認が得られるまでの間のタイムラグが広告宣伝行為にとって致命的なダメージとなってきたものと考えられる。しかしながら、このようなことを考慮したとしても、比較的時代の流行に流されないような、銘品と呼ばれるような商品や普遍的なサービスもあり、このような商品やサービスをパチンコ機やスロットマシン等の遊技機を用いて広告宣伝することは、例え当該行政機関から実際に型式の認定の承認が得られるまでの間のタイムラグがあったとしても十分に有効であることが予想される。
【０００８】
とはいえ、いくら銘品と呼ばれるような商品や普遍的なサービスであったとしても、広告宣伝の企画が持ち上がってから、実際に広告宣伝行為ができるまでの期間はできる限り短縮することが望ましいことにはかわらない。上記のような行政機関による型式認定の承認が得られるまでの期間は企業努力によって短縮することはできないが、それ以外の部分である、広告宣伝の企画が持ち上がってから、広告宣伝内容が織り込まれたパチンコ機やスロットマシン等の遊技機を実際に製作するまでの期間はできる限り短縮することが望ましい。
【課題を解決するための手段】
【０００９】
上記のような課題を解決するために、請求項１に係る本発明は、遊技機の主要演出部に商品名、商品の外観、或いはサービス名を配した広告宣伝付き遊技機を企画するための広告宣伝付き遊技機企画システムにおいて、広告宣伝企画業者が、企画検討事項、遊技機の仕様、遊技機のデザイン情報、スケジュール等の情報をアップロードする広告宣伝付き遊技機企画システムサーバと、該広告宣伝付き遊技機企画システムサーバと通信回線で繋がっている広告主業者側の広告主業者パーソナルコンピュータと、該広告宣伝付き遊技機企画システムサーバと通信回線で繋がっている遊技機デザイン業者側の遊技機デザイン業者パーソナルコンピュータと、からなることを特徴とする広告宣伝付き遊技機企画システムである。
【００１０】
また、請求項２に係る本発明は、請求項１に記載の広告宣伝付き遊技機企画システムで制作された広告宣伝付き遊技機である。
【発明の効果】
【００１１】
請求項１に係る発明によれば、広告宣伝企画業者、広告主業者、遊技機デザイン業者のそれぞれが、広告宣伝付き遊技機の企画に係る情報を共有することができるので、広告宣伝の企画が持ち上がってから、広告宣伝内容が織り込まれたパチンコ機やスロットマシン等の遊技機を実際に制作するまでの期間を短縮することができる。
【００１２】
また、請求項２に係る発明によれば、遊技機の主要演出部に商品名、商品の外観、或いはサービス名を配した、広告宣伝効果が非常に高い広告宣伝付き遊技機を提供することができる。
【発明を実施するための最良の形態】
【００１３】
以下、本発明の実施の形態を図面を参照しつつ説明する。図１は、本発明の実施の形態に係る広告宣伝付き遊技機企画システムに基づいて制作されたパチンコ機１０の概略を示す図である。図において、１１は遊技盤面であり、１２は図柄表示部、１３はパチンコ玉が貯留する貯留皿、１４はパチンコ玉を遊技盤面に射出する操作を行う操作ハンドルである。
【００１４】
図柄表示部１０は、例えば液晶表示器で構成されており、スロットマシンの３列の回転リール上の図柄を電気信号により疑似的に表示するものである。もちろん図柄表示部１２には、このような電気的な表示手段によらず、実際に３列の回転リールを用いても構わない。
【００１５】
本発明の実施の形態に係る遊技機による広告宣伝付き遊技機企画システムに基づいて制作されたパチンコ機１０では、この図柄表示部１２の表示画面に表示する図柄として、広告宣伝対象となる商品名、商品の外観、或いはサービス名を用いることを特徴点の一つとしている。図１では、広告宣伝対象となる清涼飲料水のボトルの外観１７を、図柄表示部１２の表示画面に表示する図柄として用いる例につき示している。また、本発明の実施の形態に係る広告宣伝付き遊技機企画システムに基づいて制作されたパチンコ機１０では、遊技盤面１１にも、広告宣伝対象となる商品名、商品の外観、或いはサービス名を用いることを特徴とする。図1に示すように、本実施の形態では、遊技盤面１１に広告宣伝対象となる清涼飲料水の外観１５、１７が印刷表示されている。さらに、本発明の実施の形態に係る広告宣伝付き遊技機企画システムに基づいて制作されたパチンコ機１０では、１８に示されるように、パチンコ機１０正面の空きスペースにも、広告宣伝対象となる商品名、商品の外観、或いはサービス名を用いることを特徴とする。
【００１６】
このように本発明の実施の形態に係る広告宣伝付き遊技機企画システムで制作されたパチンコ機１０では、遊技機の遊技を演出する主表示部である遊技盤面１１及び図柄表示部１０、パチンコ機１０正面の空きスペースに、広告宣伝対象となる商品名、商品の外観、或いはサービス名が使われているので、遊技に興じている遊技機利用者は遊技をしている間中、直接的に、これら商品名、商品の外観、或いはサービス名を真剣に見ているわけであり、広告宣伝効果が非常に高いものとなる。
【００１７】
図２は、本発明の実施の形態に係る広告宣伝付き遊技機企画システムに基づいて制作されたスロットマシン２０の概略を示す図である。図において、２１は図柄表示部、２２は図柄表示部２１の制御を行うための操作ボタン、２３はコインが貯留する貯留皿である。
【００１８】
図柄表示部２１は、例えば液晶表示器で構成されており、３列の回転リール上の図柄を電気信号により疑似的に表示するものである。もちろん、この図柄表示部２１には、このような電気的な表示手段によらず、実際に３列の回転リールを用いても構わない。
【００１９】
本発明の実施の形態に係る広告宣伝付き遊技機企画システムに基づいて制作されたスロットマシン２０では、この図柄表示部２１の表示画面に表示する図柄として、広告宣伝対象となる商品名、商品の外観、或いはサービス名を用いることを特徴点としている。図２では、広告宣伝対象となる清涼飲料水の外観２７を、図柄表示部２１の表示画面に表示する図柄として用いる例につき示している。また、本発明の実施の形態に係る広告宣伝付き遊技機企画システムに基づいて制作されたスロットマシン２０では、スロットマシン２０正面の空きスペースにも、広告宣伝対象となる商品名、商品の外観、或いはサービス名を用いることを特徴とする。図２に示すように、本実施の形態では、この空きスペースに広告宣伝対象となる清涼飲料水の外観２４〜２６が印刷表示されている。
【００２０】
このように本発明の実施の形態に係る広告宣伝付き遊技機企画システムにより制作されたスロットマシン２０では、遊技機の遊技を演出する主表示部である図柄表示部２１及びスロットマシン２０正面の空きスペースに、広告宣伝対象となる商品名、商品の外観、或いはサービス名が使われているので、遊技に興じている遊技機利用者は遊技をしている間中、直接的に、これら商品名、商品の外観、或いはサービス名を真剣に見ているわけであり、広告宣伝効果が非常に高い。
【００２１】
次に、広告宣伝付き遊技機を企画する際のフローについて図３を参照しつつ説明する。図3は、広告宣伝付き遊技機の制作・製造に係る業者の相関関係を示す図である。図において、３０は広告主業者、３１は広告宣伝企画業者、３２は遊技機デザイン業者、３３は遊技機製造業者、３４は遊技場である。
【００２２】
自らの商品やサービスの広告宣伝を行いたい広告主である企業３０（以下、「広告主業者」という）は、広告宣伝の企画を行う広告宣伝企画業者３１に対して広告宣伝の依頼をする。（矢印Ａ）
広告主業者３０から広告宣伝の依頼を受けた広告宣伝企画業者３１は、広告宣伝内容の企画を行う。具体的には、上述したようなパチンコ機１０やスロットマシン２０等の遊技機の、図柄表示部１２、２１、遊技盤面１１、遊技機正面空きスペースを用いて、遊技機でどのような演出を行うかについて、広告主業者３０とともに企画検検討を行い（矢印Ｂ）、具体的な遊技機の仕様を決定する。ここで、決定された遊技機の仕様に基づき、遊技機の図柄表示部１２、２１、遊技盤面１１をデザインする遊技機デザイン業者３２に対して制作を依頼する。（矢印Ｃ）
制作を依頼された遊技機デザイン業者３２は、遊技機の図柄表示部１２、２１、遊技盤面１１の実際のデザイン試作を行い、広告宣伝企画業者３１に遊技機の試作案を納入する。（矢印Ｄ）
広告宣伝企画業者３１は、遊技機製造業者３３に当該試作案を持ち込み、製造を依頼する。（矢印Ｅ）
広告宣伝企画業者３１の依頼を受けた遊技機製造業者３３は、この試作案を基に遊技機を製作し、図示しない行政機関に対して型式の申請を行う。遊技機製造業者３３は、当該行政機関から型式認証を受けると、遊技場運営業者に対して遊技機を販売、当該遊技場運営業者が経営する遊技場３４に遊技機を納入する。
【００２３】
以上が、広告宣伝付き遊技機を企画する際のフローである。当該フローの中で、広告宣伝企画業者３１が、遊技機の図柄表示部１２、２１、遊技盤面１１、遊技機正面空きスペースを用いて、遊技機でどのような演出を行うかについて、広告主業者３０とともに企画検検討を行うステップ、及び、広告宣伝企画業者３１が遊技機デザイン業者３２に具体的なデザインを依頼し、遊技機の試作案を制作していくステップにおいては、何度も企画検討・仕様変更等が繰り返されることが予想される。従って、これら２つのステップをできるだけ短期間に効率的に行うことが、実際に遊技機を用いて広告宣伝行為ができるまでの期間をできる限り短縮する上で重要となる。また、これら２つのステップは同時並行的に行うことが望ましい。すなわち、広告主業者３０と広告宣伝企画業者３１との企画案が、速やかに遊技機デザイン業者３２に渡れば、それだけ遊技機デザイン業者３２は試作案作りに早く取りかかれるし、途中、広告主業者３０と広告宣伝企画業者３１との協議で、遊技機の仕様の変更等があったとしても、これが速やかに遊技機デザイン業者３２に対しフィードバックされるのであれば、遊技機デザイン業者３２は速やかに遊技機の試作案の変更を行うことができるわけである。
【００２４】
以上のことを踏まえた上で、本発明の実施の形態に係る広告宣伝付き遊技機企画システムにつき、図４を参照しつつ説明する。図4は、本発明の実施の形態に係る広告宣伝付き遊技機企画システムの運用形態の概略を示す図である。図４において、４０は広告宣伝付き遊技機企画システムサーバ、４１は広告宣伝企画業者パーソナルコンピュータ、４２は広告宣伝付き遊技機企画システムサーバ４０と広告宣伝企画業者パーソナルコンピュータ４１との間の通信を取り持つ通信線、４３は広告主業者パーソナルコンピュータ、４４は広告宣伝付き遊技機企画システムサーバ４０と広告主業者パーソナルコンピュータ４３との間の通信を取り持つ通信回線、４５は遊技機デザイン業者パーソナルコンピュータ、４６は広告宣伝付き遊技機企画システムサーバ４０と遊技機デザイン業者パーソナルコンピュータ４５との間の通信を取り持つ通信回線である。
【００２５】
本発明の実施の形態に係る広告宣伝付き遊技機企画システムは、主として広告宣伝企画業者３０が運営する広告宣伝付き遊技機企画システムサーバ４０からなり、この広告宣伝付き遊技機企画システムサーバ４０に対しては、広告主業者パーソナルコンピュータ４３及び遊技機デザイン業者パーソナルコンピュータ４５からそれぞれの通信回線を介してログインすることによりアクセス可能に構成されている。
【００２６】
広告宣伝付き遊技機企画システムサーバ４０には、広告宣伝企画業者３１の広告宣伝企画業者パーソナルコンピュータ４１から、企画検討事項、遊技機の仕様、遊技機のデザイン情報、スケジュール等の広告宣伝付き遊技機を企画・試作する上で必要となる情報をアップロードすることができるように構成されており、クライアントである広告主業者３０は、広告主業者パーソナルコンピュータ４３から広告宣伝付き遊技機企画システムサーバ４０にアクセスし閲覧することにより、作業の進捗状況を一目で参照することができるようになっている。また、遊技機デザイン業者３２は、遊技機デザイン業者パーソナルコンピュータ４５から広告宣伝付き遊技機企画システムサーバ４０にアクセスして閲覧することにより、遊技機の仕様やスケジュール情報等の遊技機試作案を作成する上で重要となる情報を速やかに入手することができる。また、広告主業者３０と広告宣伝企画業者３０との打ち合わせ等により急に遊技機の仕様が変更されるようなことがあったとしても、本システムによって遊技機デザイン業者３２は速やかにこれに対応することができる。
【００２７】
このように本発明の実施の形態に係る広告宣伝付き遊技機企画システムによれば、広告宣伝企画業者３１、広告主業者３０、遊技機デザイン業者３２のそれぞれが、広告宣伝付き遊技機の企画に係る情報を共有することができるので、広告宣伝の企画が持ち上がってから、広告宣伝内容が織り込まれたパチンコ機やスロットマシン等の遊技機を実際に制作するまでの期間を短縮することができる。
【図面の簡単な説明】
【００２８】
【図１】本発明の実施の形態に係る広告宣伝付き遊技機企画システムに基づいて制作されたパチンコ機の概略を示す図である。
【図２】本発明の実施の形態に係る広告宣伝付き遊技機企画システムに基づいて制作されたスロットマシンの概略を示す図である。
【図３】広告宣伝付き遊技機の制作・製造に係る業者の相関関係を示す図である。
【図４】本発明の実施の形態に係る広告宣伝付き遊技機企画システムの運用形態を示す図である。
【符号の説明】
【００２９】
１０・・・パチンコ機、１１・・・遊技盤面、１２・・・図柄表示部、１３・・・貯留皿、１４・・・操作ハンドル、１５、１６、１７・・・広告宣伝対象となる清涼飲料水の外観、２０・・・スロットマシン、２１・・・図柄表示部、２２・・・操作ボタン、２３・・・貯留皿、３０・・・広告主業者、３１・・・広告宣伝企画業者、３２・・・遊技機デザイン業者、３３・・・遊技機製造業者、３４・・・遊技場、４０・・・広告宣伝付き遊技機企画システムサーバ、４１・・・広告宣伝企画業者パーソナルコンピュータ、４２・・・通信線、４３・・・広告主業者パーソナルコンピュータ、４４・・・通信回線、４５・・・遊技機デザイン業者パーソナルコンピュータ、４６・・・通信回線
【図１】
2007151900.tif 000003
【図２】
2007151900.tif 000004
【図３】
2007151900.tif 000005
【図４】
2007151900.tif 000006